(57)【要約】【課題】照明機能を付加して、ユーザーが夜間に暗いところでステッキを持って歩行中に、ステッキで暗闇を照明することのできるステッキの照明及び警告装置を提供すること。【解決手段】主として、ステッキ本体及び制御装置を含む。前記制御装置においては、手動発電ユニット及び電源供給ユニットを含み、前記手動発電ユニットは、手動回転方式によって電気エネルギーをエネルギー貯蔵ユニットへ送って貯蔵し、照明ユニット・点滅ランプ警告ユニット及び音声警報ユニットへ伝導することができる。普段時は、前記照明ユニット・点滅ランプ警告ユニット及び音声警報ユニットは、電源供給ユニットからの信号を受け取り、ユーザー自身の必要に応じて、制御スイッチを切り替え制御することによって、照明ユニット又は点滅ランプ警告ユニット又は音声警報ユニットの作動を駆使し、ステッキの夜間照明及び警告目的を果たす。【選択図】図１
0003130001.tif 000002
【実用新案登録請求の範囲】
【請求項１】
ステッキの照明及び警告装置であって、片側に電池収容ボックスを設置したステッキ本体と、制御装置と、を含み、
前記制御装置においては、手動発電ユニットと、電源供給ユニットと、照明ユニットと、点滅ランプ警告ユニットと、音声警報ユニットと、を含み、
前記手動発電ユニットにおいては、手動回転レバーと、発電装置と、エネルギー貯蔵装置と、を含み、
前記手動回転レバーは、ステッキ本体の片側外面に設置され、
前記発電装置及びエネルギー貯蔵装置は、ステッキ本体の中に設置されており、当該手動回転レバーで発電装置を駆使することによって電気エネルギーを生じさせ、エネルギー貯蔵装置の中に出力して貯蔵可能に構成され、
前記電源供給ユニットは、ステッキ本体片側の電池収納ボックスに格納されており、
前記照明ユニットにおいては、少なくともステッキ本体の前側表面外に露出した発光体を含み、且つ前記照明ユニットは、多段階制御スイッチによってエネルギー貯蔵ユニット又は電源供給ユニットに電気的に接続され、
前記点滅ランプ警告ユニットは、少なくともステッキ本体外に露出して環設されてある数個の警告ランプを含み、且つ前記点滅ランプ警告ユニットは、多段階制御スイッチによってエネルギー貯蔵ユニット又は電源供給ユニットに電気的に接続されており、
前記音声警報ユニットは、ステッキ本体内に収容され、多段階制御スイッチによってエネルギー貯蔵ユニット又は電源供給ユニットに電気的に接続されていることを特徴とする、
ステッキの照明及び警告装置。
【請求項２】
ステッキの照明及び警告装置であって、片側に電池収容ボックスを設置したステッキ本体と、制御装置と、を含み、
前記制御装置においては、手動発電ユニットと、電源供給ユニットと、照明ユニットと、を含み、
前記手動発電ユニットにおいては、手動回転レバーと、発電装置及びエネルギー貯蔵装置と、を含み、
前記手動回転レバーは、ステッキ本体の片側外面に格納され、
前記発電装置及びエネルギー貯蔵装置は、ステッキ本体の中に設置されており、前記手動回転レバーで発電装置を駆使することによって電気エネルギーを生じさせ、エネルギー貯蔵装置の中に出力して貯蔵可能に構成され、
前記電源供給ユニットは、ステッキ本体片側の電池収納ボックスに格納されており、
前記照明ユニットは、少なくともステッキ本体の前側表面外に露出してある発光体を含み、且つ前記照明ユニットは、多段階制御スイッチによってエネルギー貯蔵ユニット又は電源供給ユニットに電気的に接続されていることを特徴とする、
ステッキの照明及び警告装置。
【請求項３】
ステッキの照明及び警告装置であって、片側に電池収容ボックスを設置したステッキ本体と、制御装置と、を含み、
前記制御装置においては、手動発電ユニットと、電源供給ユニットと、点滅ランプ警告ユニットと、を含み、
前記手動発電ユニットにおいては、手動回転レバーと、発電装置及びエネルギー貯蔵装置と、を含み、
前記手動回転レバーは、ステッキ本体の側面外に収納され、
前記発電装置及びエネルギー貯蔵装置は、ステッキ本体の中に設置されており、前記手動回転レバーで発電装置を駆使することによって電気エネルギーを生じさせ、エネルギー貯蔵装置の中に出力して貯蔵可能に構成され、
前記電源供給ユニットは、ステッキ本体片側の電池収納ボックスに格納されており、
前記点滅ランプ警告ユニットにおいては、少なくともステッキ本体外に露出環設された数個の発光体を含み、且つ前記点滅ランプ警告ユニットは、多段階制御スイッチによってエネルギー貯蔵ユニット又は電源供給ユニットに電気的に接続されていることを特徴とする、
ステッキの照明及び警告装置。
【請求項４】
ステッキの照明及び警告装置であって、片側に電池収容ボックスを設置したステッキ本体と、制御装置と、を含み、
前記制御装置においては、手動発電ユニットと、電源供給ユニットと、音声警報ユニットと、を含み、
前記手動発電ユニットにおいては、手動回転レバーと、発電装置及びエネルギー貯蔵装置を含み、
前記手動回転レバーは、ステッキ本体の片側外面に収納され、
前記発電装置及びエネルギー貯蔵装置は、ステッキ本体の中に設置されており、前記手動回転レバーで発電装置を駆使することによって電気エネルギーを生じさせ、エネルギー貯蔵装置の中に出力して貯蔵可能に構成し、
前記電源供給ユニットは、ステッキ本体片側の電池収納ボックスに格納されており、
前記音声警報ユニットは、ステッキ本体の中に収容され、多段階制御スイッチによってエネルギー貯蔵ユニット又は電源供給ユニットに電気的に接続されていることを特徴とする、
ステッキの照明及び警告装置。
【考案の詳細な説明】
【技術分野】
【０００１】
本考案は、ステッキ、特にステッキの上に照明・点滅ランプ及び音声警報機能を設置し、ステッキの付加価値を増加させたステッキの照明及び警告装置に関するものである。
【背景技術】
【０００２】
ステッキは、通常行動の不便な患者又は年長者のためにあり、ステッキの助けと支持によって、行動不便な患者又は年長者が歩き易いようにしている。しかし、ステッキは行動不便な患者又は年長者の補助器具ではあるが、従来のステッキは木質又は金属材質によって作られ、他に何も付加機能が付いていないので、下記のような欠点がある。
（１）年長者又は行動不便な患者が夜間に暗いところで歩行する場合、ステッキのほかに照明器具を持たなければならず、歩行に不便である。
（２）年長者又は行動不便な患者が不注意で転んだ場合、ステッキ自体には警報機能がないため、年長者又は行動不便な患者が直ちに助けを求めることが出来ない。
【０００３】
以上で分かるように、上述従来の物品には幾多の欠点があり、よい設計とは言い難く、改良が待たれていた。
【０００４】
本願の考案者は、上述従来のステッキの夜間照明に派生する各項の欠点に鑑み、極力改良を試み、且つ長年苦心研鑽の末、ついに本案に係るステッキの照明及び警報装置の研究開発に成功した。
【考案の開示】
【考案が解決しようとする課題】
【０００５】
本考案の目的は、ステッキに照明機能を付加して、ユーザーが夜間に暗いところでステッキを持って歩行中に、ステッキで暗闇を照明することのできるステッキの照明及び警告装置を提供することにある。
【０００６】
本考案のもう一つの目的は、ステッキに照明機能を付加して、ユーザーが夜間に暗いところでステッキを持って歩行中に不注意で転んだ場合、ステッキによってランプを点滅させ、又は音声警報を発し、即座に助けを求める目的を達成できるステッキの照明及び警告装置を提供することにある。
【課題を解決するための手段】
【０００７】
上述の目的を達成できるステッキの照明及び警告装置は、ステッキ本体及び制御装置を含む。
前記制御装置においては、手動発電ユニットと、電源供給ユニットと、照明ユニットと、点滅ランプ警告ユニットと、音声警報ユニットと、を含み、前記手動発電ユニットにおいては、手動回転レバーと、発電装置及びエネルギー貯蔵装置を含み、前記手動回転レバーは、ステッキ本体の片側外面に設置され、前記発電装置及びエネルギー貯蔵装置は、ステッキ本体の中に設置されており、前記手動回転レバーで発電ユニットを駆使することによって電気エネルギーを生じさせ、エネルギー貯蔵装置の中に出力して貯蔵可能であり、電気エネルギーが照明ユニット・点滅ランプ警告ユニットおよび音声警報ユニットへ伝わるようにしてある。
前記電源供給ユニットは、一般乾電池又は充電電池であってよく、ステッキ本体片側の電池収納ボックスに格納して、前記電源供給ユニットからも同様に照明ユニット・点滅ランプ警告ユニット及び音声警報ユニットへ給電することができるようにしてある。
前記照明ユニットにおいては、少なくともステッキ本体の前側面の外に露出した発光体を含み、且つ前記照明ユニットは、制御スイッチによってエネルギー貯蔵ユニット又は電源供給ユニットに接続されている。
前記点滅ランプ警告ユニットにおいては、少なくともステッキ本体外に環設された数個の警告ランプを含み、且つ制御スイッチによってエネルギー貯蔵ユニット又は電源供給ユニットに接続されている。
前記音声警報ユニットは、ブザーであってよく、制御スイッチによってエネルギー貯蔵ユニット又は電源供給ユニットに接続されたステッキ本体内に収容されている。
通常時は、ユーザーは制御スイッチによって電源供給ユニットを駆使して照明ユニット又は点滅ランプ警告ユニット又は音声警報ユニットへ電源を提供し、ステッキの夜間照明又はランプ点滅又は音声による警告目的を達成することができる。若し、電源供給ユニットの電力が尽きた場合、ユーザーは手動発電ユニットによって一時的に電気エネルギーをエネルギー貯蔵ユニットへ送り、エネルギー貯蔵ユニットから電源を提供して照明ユニット又は点滅ランプ警告ユニット又は音声警報ユニットを作動させることができる。
【０００８】
すなわち、本願の第１考案は、ステッキの照明及び警告装置であって、片側に電池収容ボックスを設置したステッキ本体と、制御装置と、を含み、前記制御装置においては、手動発電ユニットと、電源供給ユニットと、照明ユニットと、点滅ランプ警告ユニットと、音声警報ユニットと、を含み、前記手動発電ユニットにおいては、手動回転レバーと、発電装置と、エネルギー貯蔵装置と、を含み、前記手動回転レバーは、ステッキ本体の片側外面に設置され、前記発電装置及びエネルギー貯蔵装置は、ステッキ本体の中に設置されており、当該手動回転レバーで発電装置を駆使することによって電気エネルギーを生じさせ、エネルギー貯蔵装置の中に出力して貯蔵可能に構成され、前記電源供給ユニットは、ステッキ本体片側の電池収納ボックスに格納されており、前記照明ユニットにおいては、少なくともステッキ本体の前側表面外に露出した発光体を含み、且つ前記照明ユニットは、多段階制御スイッチによってエネルギー貯蔵ユニット又は電源供給ユニットに電気的に接続され、前記点滅ランプ警告ユニットは、少なくともステッキ本体外に露出して環設されてある数個の警告ランプを含み、且つ前記点滅ランプ警告ユニットは、多段階制御スイッチによってエネルギー貯蔵ユニット又は電源供給ユニットに電気的に接続されており、
前記音声警報ユニットは、ステッキ本体内に収容され、多段階制御スイッチによってエネルギー貯蔵ユニット又は電源供給ユニットに電気的に接続されていることを特徴とする、ステッキの照明及び警告装置であることを要旨としている。
【０００９】
また、本願の第２考案は、ステッキの照明及び警告装置であって、片側に電池収容ボックスを設置したステッキ本体と、制御装置と、を含み、前記制御装置においては、手動発電ユニットと、電源供給ユニットと、照明ユニットと、を含み、前記手動発電ユニットにおいては、手動回転レバーと、発電装置及びエネルギー貯蔵装置と、を含み、前記手動回転レバーは、ステッキ本体の片側外面に格納され、前記発電装置及びエネルギー貯蔵装置は、ステッキ本体の中に設置されており、前記手動回転レバーで発電装置を駆使することによって電気エネルギーを生じさせ、エネルギー貯蔵装置の中に出力して貯蔵可能に構成され、前記電源供給ユニットは、ステッキ本体片側の電池収納ボックスに格納されており、前記照明ユニットは、少なくともステッキ本体の前側表面外に露出してある発光体を含み、且つ前記照明ユニットは、多段階制御スイッチによってエネルギー貯蔵ユニット又は電源供給ユニットに電気的に接続されていることを特徴とする、
ステッキの照明及び警告装置であることを要旨としている。
【００１０】
また、本願の第３考案は、ステッキの照明及び警告装置であって、片側に電池収容ボックスを設置したステッキ本体と、制御装置と、を含み、前記制御装置においては、手動発電ユニットと、電源供給ユニットと、点滅ランプ警告ユニットと、を含み、前記手動発電ユニットにおいては、手動回転レバーと、発電装置及びエネルギー貯蔵装置と、を含み、前記手動回転レバーは、ステッキ本体の側面外に収納され、前記発電装置及びエネルギー貯蔵装置は、ステッキ本体の中に設置されており、前記手動回転レバーで発電装置を駆使することによって電気エネルギーを生じさせ、エネルギー貯蔵装置の中に出力して貯蔵可能に構成され、前記電源供給ユニットは、ステッキ本体片側の電池収納ボックスに格納されており、前記点滅ランプ警告ユニットにおいては、少なくともステッキ本体外に露出環設された数個の発光体を含み、且つ前記点滅ランプ警告ユニットは、多段階制御スイッチによってエネルギー貯蔵ユニット又は電源供給ユニットに電気的に接続されていることを特徴とする、ステッキの照明及び警告装置であることを要旨としている。
【００１１】
また、本願の第３考案は、ステッキの照明及び警告装置であって、片側に電池収容ボックスを設置したステッキ本体と、制御装置と、を含み、前記制御装置においては、手動発電ユニットと、電源供給ユニットと、音声警報ユニットと、を含み、前記手動発電ユニットにおいては、手動回転レバーと、発電装置及びエネルギー貯蔵装置を含み、前記手動回転レバーは、ステッキ本体の片側外面に収納され、前記発電装置及びエネルギー貯蔵装置は、ステッキ本体の中に設置されており、前記手動回転レバーで発電装置を駆使することによって電気エネルギーを生じさせ、エネルギー貯蔵装置の中に出力して貯蔵可能に構成し、前記電源供給ユニットは、ステッキ本体片側の電池収納ボックスに格納されており、前記音声警報ユニットは、ステッキ本体の中に収容され、多段階制御スイッチによってエネルギー貯蔵ユニット又は電源供給ユニットに電気的に接続されていることを特徴とする、ステッキの照明及び警告装置であることを要旨としている。
【考案の効果】
【００１２】
本考案に係るステッキの照明及び警告装置は、その他従来の技術に比べ、更に下記のような長所がある。
（１）本考案は、ステッキの上に照明機能を付加し、ユーザーがステッキを持って夜間の暗闇の中を歩くとき、ステッキで暗闇における照明を提供することができる。
（２）本考案は、ステッキの上に点滅ランプ及び音声警報機能を付加し、ユーザーがステッキを持って不注意で転んだとき、ステッキによって点滅ランプ又は音声の警告によって、直ちに助けを求める目的を達成できる。
【考案を実施するための最良の形態】
【００１３】
［実施例］
図１〜図３は、本考案に係るステッキの照明及び警告装置を示す。本考案に係るステッキの照明及び警告装置は、主として、断面がほぼＴ字型を呈するステッキ本体１と、制御装置２と、を含む。
【００１４】
前記ステッキ本体１は、その片側に電池収容ボックス１１を設置すると共に、ステッキ本体１の外に電源差込穴１２を設け、前記電源差込穴１２は電池収容ボックス１１内の電池に充電を行うための電池収容ボックス１１と接続され、且つステッキ本体１の片側にサウンド・ホール１３を設けてある。
【００１５】
前記制御装置２においては、手動発電ユニット２１と、電源供給ユニット２３と、照明ユニット２４と、点滅ランプ警告ユニット２５と、音声警報ユニット２６と、を含む。
【００１６】
前記手動発電ユニット２１においては、手動回転レバー２１１と、発電装置２１２及びエネルギー貯蔵装置２１３と、を含む。
【００１７】
前記手動回転レバー２１１は、ステッキ本体１の片側表面外に設置され、使わないときは、ステッキ本体１の中に格納される。
前記発電装置２１２及びエネルギー貯蔵装置２１３は、ステッキ本体１の本体内に設置されており、前記手動回転レバー２１１によって発電装置２１２を駆使して電気エネルギーを発生させ、エネルギー貯蔵装置２１３の中へ出力して貯蔵し、電気エネルギーを多段階制御スイッチ２２によって照明ユニット２４・点滅ランプ警告ユニット２５及び音声警報ユニット２６へ伝導させる。
【００１８】
前記電源供給ユニット２３は、一般電池又は充電電池であってよく、ステッキ本体１片側の電池収納ボックス１１に格納して、前記電源供給ユニット２３からも同様に多段階制御スイッチ２２によって電源を照明ユニット２４・点滅ランプ警告ユニット２５及び音声警報ユニット２６へ提供することができる。
【００１９】
前記照明ユニット２４は、少なくとも発光体２４１を含み、前記発光体２４１は、高輝度のＬＥＤであってよく、且つステッキ本体１の前側表面外に露出されると共に、多段階制御スイッチ２２によってエネルギー貯蔵ユニット２１３又は電源供給ユニット２３に接続されている。
【００２０】
前記点滅ランプ警告ユニット２５は、少なくとも数個の警告ランプ２５１を含み、前記警告ランプ２５１は、高輝度の高輝度のＬＥＤであってよく、且つステッキ本体１の前側表面外に露出され、且つ多段階制御スイッチ２２によってエネルギー貯蔵ユニット２１３又は電源供給ユニット２３に接続されている。
【００２１】
前記音声警報ユニット２６は、ステッキ本体１の中に収容され、且つステッキ本体１の片側のサウンド・ホール１３に対応している。前記音声警報ユニット２６は、ブザーであってよく、且つ多段階制御スイッチ２２によってエネルギー貯蔵ユニット２１３又は電源供給ユニット２３に接続されている。
【００２２】
図３及び図４は、本考案に係る第一操作略図を示す。普段時は、ユーザーが多段階制御スイッチ２２を切り替え制御することによって、照明ユニット２４と電源供給ユニット２３を電気的に接続させ、電源供給ユニット２３が電源を多段階制御スイッチ２２によって照明ユニット２４へ伝導して、ステッキ本体前側表面外に突き出て露出した発光体２４１を発光させ、夜間の暗闇を照明する目的を達成する。
【００２３】
図３及び図５は、本考案に係る第二操作略図を示す。普段時は、ユーザーが多段階制御スイッチ２２の制御によって、点滅ランプ警告ユニット２５と電源供給ユニット２３とを電気的に接続させ、電源供給ユニット２３から電源を多段階制御スイッチ２２を経由して点滅ランプユニット２５へ伝導することによって、ステッキ本体１の外側に露出して環設された警告ランプ２５１に点滅する光源をもたらし、ランプを点滅して警告する目的を達成する。
【００２４】
図３及び図６は、本考案に係る第三操作略図を示す。普段時は、ユーザーは多段階制御スイッチ２２の制御によって、音声警報ユニット２６を電源供給ユニット２３に電気的に接続させ、電源供給ユニット２３から電源を多段階制御スイッチ２２によって音声警報ユニット２６へ伝導できるようにし、且つ音声警報ユニット２６と多段階制御スイッチ２２の間に、音声警報の起動ユニット２６が起動したかどうかを制御できる切り替えスイッチ２６１を設け、切り替えスイッチ２６１がＯＮの状態にあるときは、前記電源供給ユニット２３に生成した電源は、音声警報ユニット２６に伝えられ、音声警報ユニット２６に警報音を発生させ、音声警報の目的を達成できる。
【００２５】
なお、図３〜図６を参照して、照明ユニット２４又は点滅ランプ警告ユニット１５が作動した場合、前記音声警報ユニット２６は切り替えスイッチ２６１によって切り替え制御され、音声警報ユニット２６を同期作動させることができる。
【００２６】
図３及び図７は、本考案に係る第四操作の略図を示す。電源供給ユニット２３の電力がなくなった場合、ユーザーはステッキ本体１の中に格納された手動回転レバー２１１を引っ張り出し、手動回転レバー２１１によって発電装置２１２を駆使し、電力を生じさせてエネルギー貯蔵ユニット２１３へ送り、更に多段階切り替えスイッチ２２の切り替え制御によって、照明ユニット２４・点滅ランプ警告ユニット２５又は音声警報ユニット２６をエネルギー貯蔵ユニット２１３に電気的に接続させ、エネルギー貯蔵ユニット２１３から電源を提供して照明ユニット２４・点滅ランプ警告ユニット２５又は音声警報２６を作動させることができる。
【図面の簡単な説明】
【００２７】
【図１】本考案に係るステッキの照明及び警告装置の正面斜視略図である。
【図２Ａ】本考案に係るステッキの照明及び警告装置の背面斜視略図である。
【図２Ｂ】本考案に係るステッキの照明及び警告装置の背面斜視略図である。
【図３】本考案に係るステッキの照明及び警告装置のブロック略図である。
【図４】本考案に係るステッキの照明及び警告装置の第一操作略図である。
【図５】本考案に係るステッキの照明及び警告装置の第二操作略図である。
【図６】本考案に係るステッキの照明及び警告装置の第三操作略図である。
【図７】本考案に係るステッキの照明及び警告装置の第四実施略図である。
【符号の説明】
【００２８】
１      ステッキ本体
１１    電池収納ボックス
１２    電源差込穴
１３    サウンド・ホール
２      制御装置
２１    手動発電ユニット
２１１  手動回転レバー
２１２  発電装置
２１３  エネルギー蓄蔵装置
２２    多段階制御スイッチ
２３    電源供給ユニット
２４    照明ユニット
２４１  発光体
２５    点滅ランプ警告ユニット
２５１  点滅ランプ
２６    音声警報ユニット
２６１  切り替えスイッチ
【図１】
0003130001.tif 000003
【図２Ａ】
0003130001.tif 000004
【図２Ｂ】
0003130001.tif 000005
【図３】
0003130001.tif 000006
【図４】
0003130001.tif 000007
【図５】
0003130001.tif 000008
【図６】
0003130001.tif 000009
【図７】
0003130001.tif 000010